(57)【要約】【課題】オゾン濃度を常に一定の範囲に維持することができ、半導体、液晶、食品、食品容器等の酸化分解、脱臭殺菌を十分に行うことができるオゾン発生装置を提供することを課題とする。【解決手段】オゾン発生器１と、オゾン送出部の一部に配置し且つオゾン濃度を検出表示するオゾンモニター２と、オゾン濃度設定器３と、オゾン濃度設定器からの信号を受けてオゾン濃度をコントロールする制御回路４と、制御回路からの信号を受けて高電圧を発信する高電圧発信回路５とを有して構成してある。またオゾン濃度が設定基準より低くなった場合は、高電圧発信回路の電圧を低くし、オゾン発生器により生成されるオゾン濃度は常に設定範囲になるように構成してある。【選択図】　図１
2004043203.tif 000002
【特許請求の範囲】
【請求項１】
オゾン発生器と、オゾン送出部の一部に配置し且つオゾン濃度を検出表示するオゾンモニターと、オゾン濃度設定器と、オゾン濃度設定器からの信号を受けてオゾン濃度をコントロールする制御回路と、制御回路からの信号を受けて高電圧を発振する高電圧発振回路とを有し、オゾン濃度が設定基準より低くなった場合は高電圧発振回路の電圧を高め、オゾン濃度が設定基準より高くなった場合は高電圧発振回路の電圧を低くし、オゾン発生器により生成されるオゾン濃度は常に設定範囲になるように構成したことを特徴とするオゾン発生装置。
【請求項２】
オゾン発生器と、オゾン送出部とは別の導管を設け、且つ同導管にオゾン濃度を検出表示するオゾンモニターと、オゾン濃度設定器と、オゾン濃度設定器からの信号を受けてオゾン濃度をコントロールする制御回路と、制御回路からの信号を受けて高電圧を発振する高電圧発振回路とを有し、オゾン濃度が設定基準より低くなった場合は高電圧発振回路の電圧を高め、オゾン濃度が設定基準より高くなった場合は高電圧発振回路の電圧を低くし、オゾン発生器により生成されるオゾン濃度は常に設定範囲になるように構成したことを特徴とするオゾン発生装置。
【発明の詳細な説明】
【０００１】
【発明の属する技術分野】
本発明は、半導体、液晶、食品、食品容器等の酸化分解、脱臭殺菌に最適なオゾン発生装置の改良に関する。
【０００２】
【従来の技術】
従来、例えば半導体、液晶、食品、食品容器等の酸化分解、脱臭殺菌には、広くオゾンが用いられている。オゾンはオゾナイザーを使用することにより、比較的簡易に使用することができる。
【０００３】
【発明が解決しようとする課題】
ところで、オゾンによる半導体、液晶、食品や食品容器等の酸化分解、脱臭殺菌効果は、オゾン濃度によるところが大きい。またオゾンの生成量は、オゾン生成の投入原料となる酸素、窒素又は、乾燥空気の流量と、湿度、投入電力、冷却水温度、オゾン発生素子の寿命等により大きく変化する。
しかし、オゾンの生成量が少なくなり、オゾン濃度が低くなると、半導体、液晶、食品、食品容器等の酸化分解、脱臭殺菌が不十分になる欠点がある。
【０００４】
本発明は上記の点に鑑み発明したものであって、オゾン濃度を常に一定の範囲内に維持することができ、半導体や液晶の殺菌処理と、食品や食品容器等の殺菌脱臭を十分に行うことができるオゾン発生装置を提供することを目的とする。
【０００５】
【課題を解決するための手段】
本発明は上記課題を解決するために次の手段をとっている。請求項１はオゾン発生器と、オゾン送出部の一部に配置し且つオゾン濃度を検出表示するオゾンモニターと、オゾン濃度設定器と、オゾン濃度設定器からの信号を受けてオゾン濃度をコントロールする制御回路と、制御回路からの信号を受けて高電圧を発振する高電圧発振回路とを有して構成してある。
またオゾン濃度が設定基準より低くなった場合は高電圧発振回路の電圧を高め、オゾン濃度が設定基準より高くなった場合は高電圧発振回路の電圧を低くし、オゾン発生器により生成されるオゾン濃度は常に設定範囲になるように構成してある。
【０００６】
請求項２は請求項１に記載のオゾン発生装置において、オゾン発生器と、オゾン送出部とは別の導管を設け、且つ同導管にオゾン濃度を検出表示するオゾンモニターと、オゾン濃度設定器と、オゾン濃度設定器からの信号を受けてオゾン濃度をコントロールする制御回路と、制御回路からの信号を受けて高電圧を発振する高電圧発振回路とを有して構成してある。
またオゾン濃度が設定基準より低くなった場合は高電圧発振回路の電圧を高め、オゾン濃度が設定基準より高くなった場合は高電圧発振回路の電圧を低くし、オゾン発生器により生成されるオゾン濃度は常に設定範囲になるように構成してある。
【０００７】
請求項１と請求項２記載のオゾン発生装置によると、例えば酸素、窒素又は、乾燥空気の流量、湿度、冷却水温度変化オゾン発生体の劣化があっても、オゾン濃度は常に一定の範囲内に維持することができ、半導体や液晶の酸化分解、殺菌処理と、食品や食品容器等の殺菌脱臭を十分に行うことができるオゾン発生装置を提供することを目的とする。
【０００８】
【発明の実施の形態】
以下本発明を図１乃至図３について説明する。図１において、１はオゾン発生装置のブロック図であって、オゾン発生器１と、オゾン送出部の一部に配置し且つオゾン濃度を検出表示するオゾンモニター２と、オゾン濃度設定器３と、オゾン濃度設定器からの信号を受けてオゾン濃度をコントロールする制御回路４と、制御回路からの信号を受けて高電圧を発振する高電圧発振回路５とを有して構成してある。ここでの高電圧は例えば８キロボルト乃至９キロボルト程度である。
【０００９】
オゾン発生器１は図３に示すように、例えば高純度・高強度のアルミナセラミックス発生体１０と、同アルミナセラミックス発生体１０の一部に配置した誘導電極１１と、誘導電極１１と一定の間隔を有して配置してなる放電電極１２を有して構成してある。また放電電極１２の表面はガラスコート１３を施して構成してある。この装置によると、内部に原料ガスを送り込むことにより、放電電極１２の近傍で沿面放電が発生し、オゾン化ガスが生成される。
【００１０】
上記したオゾン発生装置によると、オゾン濃度は次のようにコントロールされる。
▲１▼オゾン発生器１により生成されるオゾンの濃度をオゾンモニター２が検出表示する。
▲２▼オゾン濃度が、オゾン濃度設定器３により定められた設定基準より低くなった場合は、オゾン濃度設定器からの信号を制御回路４が受け、かかる後制御回路からの信号を高電圧発振回路５が受けて、高電圧を発振し、オゾン濃度をコントロールする。
▲３▼またオゾン濃度が設定基準より高くなった場合は、オゾン濃度設定器３からの信号を制御回路４が受け、かかる後制御回路からの信号を高電圧発振回路５が受けて、電圧を低くし、オゾン濃度をコントロールする。
▲４▼このオゾン発生装置によると、オゾン濃度は常に一定の範囲内に維持され、半導体や液晶の酸化分解、殺菌処理と、食品や食品容器等の殺菌脱臭を十分に行うことができる。
【００１１】
次に別のオゾン発生装置の実施例を図２について説明する。図２に示す装置は、オゾン発生器３０に接続してなるオゾン送出部３１と、オゾン濃度を検出表示するオゾンモニター３２は別に設けた導管３３に配置して構成してある。他の構造は図１に示すオゾン濃度自動調整装置と同一である。
【００１２】
図２に示すオゾン発生装置によると、オゾン濃度を検出表示するオゾンモニター３２は別に設けた導管３３配置して構成してあるので、その分余分にオゾンが必要となるが、従来汎用されている装置に取り付け実施することができるので、産業上の利用性は大きい。
オゾン濃度の自動調整の作用は図１に示すオゾン発生装置と同じである。
【００１３】
【発明の効果】
上記した請求項１と請求項２に記載のオゾン発生装置によると、酸素、窒素又は、乾燥空気の流量、湿度、冷却水温度変化があっても、オゾン濃度は常に一定の範囲内に維持することができ、半導体や液晶の酸化分解、殺菌処理と、食品や食品容器等の殺菌脱臭を効果的行うことができる特別な効果がある。
【図面の簡単な説明】
【図１】本発明に係るオゾン発生装置のブロック図。
【図２】本発明に係るオゾン発生装置の他のブロック図。
【図３】本発明に係るオゾン発生装置の発生原理図。
【符号の説明】
１　オゾン発生器
２　オゾンモニター
３　オゾン濃度設定器
４　制御回路
５　高電圧発振回路
１０　アルミナセラミックス発生体
１１　誘導電極
１２　放電電極
１３　ガラスコート
３０　オゾン発生器
３１　オゾン送出部
３２　オゾンモニター
３３　導管３３
【図１】
2004043203.tif 000003
【図２】
2004043203.tif 000004
【図３】
2004043203.tif 000005